(57)【要約】  第１の端部と第２の端部を有する本体を備えた第１の取付け部品で構成される流体連結部品である。本体の第１の端部から第２の端部まで通路が延びる。本体の第２の端部にブラケットが取り付けられる。ブラケットは第２の端部に隣接する空所を形成する。本体の第１の端部を流体入口ラインに取り付けるため取付け要素が設けられる。ピストンが通路内を移動できる。ピストンには本体の第１の端部に面する入口側と本体の第２の端部に面する出口側がある。ピストンを通る開口がピストンの入口側とピストンの出口側を流体連結する。流体開口のある第２の取付け部品は、取付け部品の第２の端部に隣接する空所内にスライドして収容される寸法になっている。ピストンの開口が第２の取付け部品の流体開口に通じてピストンは移動可能になり第２の取付け部品に係合する。【選択図】図１【特許請求の範囲】
【請求項１】
流体ラインの急速連結／遮断式連結部品であって、
固定の流体入口ラインに連結可能な第１の端部および第２の端部を有する本体と、
前記本体内を延びる通路と、
入口側と出口側を有し前記通路内で移動可能なピストンであって、前記入口側は前記流体入口から加圧された流体に露出される前記流体入口の方向に向く面を備えたピストンと、
前記ピストンの前記入口側と前記ピストンの前記出口側とを流体連結する前記ピストンの開口と、
前記第２の端部に隣接する空所を形成する前記本体の前記第２の端部に取り付けられたブラケット手段と、
流体供給ラインに連結可能な流体開口を有し、前記本体に隣接する前記空所内に収容される寸法の可動の取付け部品とを備え、
ピストンの前記入口側が前記入口ラインの流体圧力に露出したとき、前記ピストンの前記開口が前記取付け部品の前記流体開口に通じて前記ピストンが移動可能になり前記取付け部品に係合する急速連結／遮断式連結部品。
【請求項２】
前記本体および前記通路は円筒状である、請求項１に記載の急速連結／遮断式連結部品。
【請求項３】
前記ピストンは一般にカップ状をなし、前記面を形成する底壁とそこから延びる環状の円筒状側壁を備える、請求項２に記載の急速連結／遮断式連結部品。
【請求項４】
前記本体の前記第１の端部には前記本体を前記流体入口ラインに取り付けるフランジが含まれる、請求項３に記載の急速連結／遮断式連結部品。
【請求項５】
前記本体の前記第１の端部は鍔クランプによって前記流体入口ラインに取り付けられる、請求項４に記載の急速連結／遮断式連結部品。
【請求項６】
前記ピストンは前記取付け部品の面に対してシールを形成する、請求項１に記載の急速連結／遮断式連結部品。
【請求項７】
前記取付け部品の前記面は平面である、請求項６に記載の急速連結／遮断式連結部品。
【請求項８】
前記ブラケットは矩形空所を形成する一般にＣ形の板であり、前記取付け部品は前記矩形空所にスライドして収容される寸法のフランジ構成要素である、請求項１に記載の急速連結／遮断式連結部品。
【請求項９】
前記取付け部品には流体開口が貫通する円筒状本体が含まれ、前記本体の一端に外側に延び平坦な端面を有する環状フランジを備える、請求項８に記載の急速連結／遮断式連結部品。
【請求項１０】
前記ピストンの開口は開口の合計断面積が前記固定の流体入口ラインの断面積よりも小さい寸法である、請求項１に記載の急速連結／遮断式連結部品。
【請求項１１】
流体連結部品であって、
第１の端部と第２の端部のある本体を有する第１の取付け部品と、
前記第１の端部から前記第２の端部まで前記本体内を延びる通路と、
前記本体の前記第２の端部に取り付けられ、前記第２の端部に隣接する空所を形成するブラッケットと、
前記第１の端部を流体入口ラインに取り付ける取付け手段と、
前記ピストンは前記本体の前記第１の端部に入口側が面し、出口側が前記本体の前記第２の端部に面し、前記通路内を移動可能なピストンと、
前記ピストンの前記入口側と前記ピストンの前記出口側とを流体連結する前記ピストンを通る開口と、
前記取付け部品の前記第２の端部に隣接する前記空所内にスライドして収容される寸法を有し流体開口のある第２の取付け部品とを備え、
前記ピストンの開口が前記第２の取付け部品の流体開口に通じて前記ピストンが移動可能になり前記第２の取付け部品に係合する流体連結部品。
【請求項１２】
前記ピストンは一般にカップ状をなし、前記面を形成する底壁とそこから延びる環状の円筒状側壁を備える、請求項１１に記載の流体連結部品。
【請求項１３】
前記本体の前記第１の端部には前記本体を前記流体入口ラインに取り付けるフランジが含まれる、請求項１２に記載の流体連結部品。
【請求項１４】
前記本体の前記第１の端部は鍔クランプによって前記流体入口ラインに取り付けられる、請求項１３に記載の流体連結部品。
【請求項１５】
前記ピストンは前記取付け部品の面に対してシールを形成する、請求項１４に記載の流体連結部品。
【請求項１６】
前記取付け部品の前記面は平面である、請求項１５に記載の流体連結部品。
【請求項１７】
前記ブラケットは矩形空所を形成する一般にＣ形の板であり、前記取付け部品は前記矩形空所にスライドして収容される寸法のフランジ構成要素である、請求項１１に記載の流体連結部品。
【請求項１８】
前記取付け部品には流体開口が貫通する円筒状本体が含まれ、前記本体の一端に外側に延び平坦な端面を有する環状フランジを備える、請求項１７に記載の流体連結部品。
【請求項１９】
前記ピストンの開口は開口の合計断面積が前記固定の流体入口ラインの断面積よりも小さい寸法である、請求項１８に記載の流体連結部品。
【発明の詳細な説明】
【技術分野】
【０００１】
本発明は流体導管の連結部品に関し、特に微生物汚染除去する物品の洗浄装置に使用する急速連結／遮断式連結部品に関する。
【背景技術】
【０００２】
微生物汚染物に露出する医療器具および装置は使用の合間に微生物汚染除去を必要とする。医療器具または装置を液体微生物汚染除去溶液に露出させ洗浄装置で医療器具および医療装置を微生物汚染除去することが知られている。医療器具および医療装置を微生物汚染除去する公知の洗浄システムには洗浄される種々の装置または器具を保持するバスケットまたはラックが一般に含まれる。また可動のラックまたはバスケットに取り付けられたスプレイヘッドをその中の器具に微生物汚染除去溶液が向くようにすることが知られている。したがって、ある種の流体連結部品が、洗浄装置の固定流体入口ラインとラックまたはバスケットの可動流体ライントとの間、または洗浄装置の固定流体入口ラインと洗浄装置内に使用される付属部品との間に必要となる。
【発明の開示】
【発明が解決しようとする課題】
【０００３】
本発明は医療、外科または獣医の器具または装置を微生物汚染除去する洗浄装置で連結および遮断が急速かつ容易となる流体連結部品を提供する。
【課題を解決するための手段】
【０００４】
本発明の好ましい実施形態によると、第１の端部と第２の端部を有する本体で構成される流体ラインの急速連結／遮断式連結部品が提供される。本体の第１の端部は固定の流体入口ラインに連結可能である。本体を通路が貫通し、通路内をピストンが移動する。ピストンは入口側と出口側がある。入口側には、流体入口から加圧された流体に露出される流体入口の方向に向いた面がある。ピストンを通る開口でピストンの入口側とピストンの出口側が流体連結される。ブラケット要素が本体の第２の端部に取り付けられ、第２の端部に隣接する空所を形成する。流体供給ラインに連結可能な流体開口をもつ可動の取付け部品が本体に隣接する空所内に収容される寸法になっている。ピストンの入口側が入口ラインの流体圧力に露出されると、ピストンの開口が取付け部品の流体開口に通じるので、ピストンは移動して取付け部品に係合する。
【０００５】
本発明によると、第１の端部および第２の端部のある本体を備えた第１の取付け部品で構成される流体連結部品が提供される。本体の第１の端部から第２の端部に通路が貫通する。本体の第２の端部にブラケットが取り付けられる。ブラケットは第２の端部に隣接する空所を形成する。本体の第１の端部を流体入口ラインに取り付けるため取付け要素が設けられる。通路内でピストンが移動できる。ピストンには本体の第１の端部に面する入口側と本体の第２の端部に面する出口側がある。ピストンを通る開口でピストンの入口側とピストンの出口側とが流体連結される。流体開口のある第２の取付け部品は取付け部品の第２の端部に隣接する空所内でスライドして収容される寸法にされる。ピストンの開口が第２の取付け部品の流体開口に通じて、ピストンが移動し第２の取付け部品に係合する。
【発明の効果】
【０００６】
本発明の利点は急速かつ容易に連結および遮断される流体連結部品であることにある。
本発明の別の利点は物品を微生物洗浄および汚染除去する洗浄装置に使用する前記の流体連結部品にある。
【０００７】
これらの対象は図面および特許請求の範囲とともに好ましい実施形態の下記の記載で明らかになる。
【発明を実施するための最良の形態】
【０００８】
図面を参照するに際して、図面は発明の好ましい実施形態を説明する目的のためだけであり、発明を限定する目的はない。図１は本発明の好ましい実施形態を説明する流体連結部品１０を示す。図２に示すように、流体連結部品１０は固定流体入口ラインまたは導管１２に取り付ける第１の固定取付け部品３０と、流体供給ラインまたは導管１４に取り付ける第２の付属品取付け部品１００とで基本的に構成され、取付け部品３０，１００は互いに間隔が離れている。固定流体入口ライン１２にはそこに流体開口１２が設けられる。流体供給ラインにはそこに流体開口１４ａが設けられる。ここで使用する用語「固定取付け部品」は、限定はしないが、例えば微生物汚染除去洗浄装置（図示しない）の固定の水入口管などの固定の流体入口ラインに連結されるように構成された取付け部品を指す。このような入口ラインは一般に、洗浄装置で使用されるラックまたはバスケット（図示しない）のスプレイヘッドなどの付属品に連結する洗浄装置の内部空洞内にまで延びる。ここで使用する用語「可動取付け部品」は、限定はしないが、例えば洗浄装置で使用する可動バスケット上のスプレイへの、または洗浄装置内の可動バスケットの洗浄される器具または装置の一部への流体供給ラインなど、固定流体入口ラインに相対的に可動の流体供給導管に取り付けられるよう構成された取付け部品を指す。この点、前記の付属部品は洗浄装置内で可動のラックまたはバスケット上のスプレイヘッドまたは器具である。
【０００９】
この実施形態では、図３に示すように、第１の固定取付け部品にはピストン本体３２が含まれる。ピストン本体３２は円筒形状で一端には外側に延びる環状フランジ３４が、他端には外側に延びるボスまたは取付け部３６が含まれる。
【００１０】
フランジ３４は固定流体入口ライン１２のフランジ要素１６上の平坦面１６ａに係合する寸法の平坦面３４ａがある。環状シール４２がピストン本体３２のフランジ３４と固定流体入口ライン１２のフランジ１６との間に配置されてその間で流体シールを形成する。フランジ３４とフランジ要素１６はクランプ部分４４ａ，４４ｂからなる通常の鍔クランプ４４によって共に保持されるが、クランプの一端（図示しない）は共にヒンジで取り付けられ、他端はスロット付きタブ４４ｃ、４４ｄを備える。スロット付きタブ４４ｄに取り付けられた摘みナット５２とねじ棒５４は、ピストン本体３２のフランジ３４と固定流体入口ライン１２のフランジ要素１６の上に鍔部分４４ａ，４４ｂを締め付けるように使用される。図３に示すように、フランジ３４およびフランジ要素１６の縁は、鍔クランプ部分４４ａ，４４ｂの内縁に沿うテーパー内面に嵌合するよう面取りされている。この点、従来知られているように、鍔クランプ４４を締め付けると、フランジ３４およびフランジ要素１６には互いに接近する方向に力が加わり、それによって固定流体入口ライン１６とピストン本体３２との間に流体密シールが形成される。
【００１１】
ピストン本体３２の環状取付け部３６には一般にＣ形のブラケット５２が取り付けられる。ブラケット５２は一般にＣ形に曲げられる金属シート製であるのが好ましい。ブラケット５２は平坦な基部５４と一般にＬ形状の側部５６，５８とで構成される。側部５６，５８の端部５６ａ，５８ａは内側に曲げられる。Ｃ形ブラケットの平坦な基部５４と内側に曲がった端部である端部５６ａ，５８ａとの間に一般に矩形スロットまたは空所６２が形成される。
【００１２】
ピストン本体３２は円筒状内側空洞７２を形成するが、この空洞は固定流体入口ライン１２の開口１２ａに通じ、またＣ形ブラケットを通して延びてＣ形ブラケット５２で形成されたスロット６２に通じる。図３に示すように、ピストン本体３２の一端に内側に延びるリップ７４が形成される。リップ７４はＣ形ブラケット５２がピストン本体３２に連結されるピストン本体３２端部に形成される。図５に示すように、ピストン空洞７２はピストン８２を収容する寸法になっている。ピストン８２は一般に円筒状である。ピストン８２は実体円筒栓にすることもできるが、実施形態に示すようにピストン８２は一般にＣ形である。この点、ピストン８２には底壁８４および底壁８４の片方に延びる円筒状側壁８６が含まれる。図５に示すように、底壁８４には間隔を保つ複数の開口８８が形成される。開口８８の寸法は、全ての開口８８の合計断面積が固定流体入口ライン１２の開口１２ａの断面積よりも小さくなるように決められる。図示する実施形態では、底壁８４の周囲に沿った端部面には環状スロット９２が形成される。別の実施形態では、環状スロット９２は省かれる。図３に示すように、側壁８６の自由端にはテーパーを付けて円錐状端部９４が形成される。限定はしないが、例えば、ピストン８２はテフロンまたはステンレス鋼で形成する。
【００１３】
次に図２を参照すると、付属品取付け部品１００が示される。付属品取付け部品１００は一端が外側に延びるフランジ１１４を設けた円筒状本体１１２で構成される。本体１１２には円筒状開口１２２が貫通する。フランジ１１４はテーパーを付けた外縁１１４ａと平坦な端面１１４ｂで構成される。図示するように、第２の付属品取付け部品１００は通常のホースまたは管取付け部品１３２によって流体供給ライン１４に取り付けられる寸法になっている。付属品取付け部品１００は、第１の固定取付け部品３０のＣ形ブラケット５２で形成された矩形空所６内にスライドしながら収容される寸法になっている。
【００１４】
次に流体連結部品１０の操作について述べるが、第１の固定取付け部品３０を鍔クランプ４４を使用して固定流体入口ライン１２に取り付ける。円筒状本体１１２上のフランジ１１４をＣ形ブラケット５２で形成された空所またはスロット６２内にスライドさせることで、第２の付属品取付け部品１００を第１の固定取付け部品３０に隣接して位置させる。第２の付属品取付け部品１００は、円筒状開口１２２がピストン本体３２のピストン空洞７２に位置整合するように位置させる。この点、第２の付属品取付け部品１００の円筒状開口１２２は基本的に円筒状ピストン８２の軸と軸方向に整合する。洗浄装置の作動の間は、加圧された流体が固定流体入口ライン１２を通ってピストン本体３２の空洞７２に流れる。ピストン８２の開口８８は全体で固定流体入口ライン１２の開口１２ａの断面積よりも小さいので、ピストン本体３２の空洞７２内で圧力増加が生じる。ピストン８２の底壁８４面の圧力によってフランジ１１４の面１１４ｂの方向にピストン８２が押される。この点、ピストン８２の円錐端部９４は流体連結を形成するフランジ１１４の面１１４ｂに対して押し付けられる。流体は開口８８を通って第２の付属品取付け部品１００の円筒状本体１２の円筒状開口１２２内に流れる。そこから加圧された流体は流体供給ライン１４の開口１４ａを通って洗浄装置内の付属品装置に流れる。洗浄サイクルが終了すると、固定流体入口ライン１２を通る加圧流体の流れを中断する。結果として、第２の付属品取付け部品１００のフランジ１１４の面１１４ａに対してピストン８２を押し込む圧力はピストン８２の底壁８４に対してもはや存在しない。その結果、Ｃ形ブラケット５２で形成されたスロット６２から取付け部品１００をスライドさせることで、第２の付属品取付け部品１００を第１の固定取付け部品３０から切り離すことができる。このように、本発明は急速連結および急速遮断する流体連結が提供される。作動の間は流体圧力によって、第２の付属品取付け部品１００の面１１４ｂにピストン８２が係合されることで、第１の固定取付け部品３０と第２の付属品取付け部品１００との間に流体連結が形成される。
【００１５】
以上の記載は本発明の特別の実施形態である。この実施形態は説明のためにのみ記載され、発明の精神および範囲から逸脱することなく数多くの変更や修正が当業者には考えられる。このようなすべての修正や変更は特許請求の範囲内またはそれと均等な範囲内である限り本発明に含まれるものである。
【図面の簡単な説明】
【００１６】
本発明は一定の部分および部分の配置において具体的な形態をとり、その好ましい実施形態は明細書で詳細に記述し、かつ一部を形成する図面で説明する。
【図１】本発明の好ましい実施形態を示す、微生物汚染除去する物品用に洗浄器の流体導管を連結する流体連結具の斜視図である。
【図２】固定流体入口に取り付けられた第１の取付け部品および取り外し可能な付属品に取り付けられた第２の取付け部品の斜視図である。
【図３】図１に示す流体連結部品の部分断面側面図である。
【図４】図３の線４−４に沿って切断した断面図である。
【図５】図１−４に示す流体連結部品に使用されるピストンの斜視図である。
【図１】
2008500897.tif 000002
【図２】
2008500897.tif 000003
【図３】
2008500897.tif 000004
【図４】
2008500897.tif 000005
【図５】
2008500897.tif 000006